【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
メイン制御部と、
第１および第２サブ制御部の初期通信速度条件および目標通信速度条件を格納する第１メモリと、
第３通信手段と通信する第１通信手段と、
第４通信手段と通信する第２通信手段と、
を有するメイン基板と、
前記第１サブ制御部と、
第１クロック信号の目標速度条件を格納する第２メモリと、
第１発信機を有し、前記第１クロック信号の目標速度条件に基づき前記第１クロック信号を生成する第１クロック生成手段と、
前記第１クロック信号に基づき前記第１通信手段と通信する前記第３通信手段と
を有する第１サブ基板と、
前記第２サブ制御部と、
第２クロック信号の目標速度条件を格納する第３メモリと、
第２発信機を有し、前記第２クロック信号の目標速度条件に基づき第２クロック信号を生成する第２クロック生成手段と、
前記第２クロック信号に基づき前記第２通信手段と通信する前記第４通信手段と
を有する第２サブ基板と
を有する画像形成装置であって、
前記メイン制御部は、起動されたことに応じて、前記第１サブ制御部の目標通信速度条件に基づき前記第１サブ基板と通信を行い、前記第１サブ制御部の目標通信速度条件に基づき前記第１サブ基板と正常に通信ができなかった場合は、前記第１サブ制御部の初期通信速度条件に基づき前記前記第１サブ基板と通信を行い、前記第１サブ制御部の初期通信速度条件に基づき前記前記第１サブ基板と正常に通信ができた場合は、前記第１クロック生成手段に前記第１サブ制御部の目標通信速度条件に応じた第１クロック信号を生成させ、かつ、前記第１サブ制御部は前記第１サブ制御部の目標通信速度条件を前記第１クロック信号の目標速度条件として前記第２メモリに格納し、
さらに、
前記メイン制御部は、起動されたことに応じて、前記第２サブ制御部の目標通信速度条件に基づき前記第２サブ基板と通信を行い、前記第２サブ制御部の目標通信速度条件に基づき前記第２サブ基板と正常に通信ができなかった場合は、前記第２サブ制御部の初期通信速度条件に基づき前記前記第２サブ基板と通信を行い、前記第２サブ制御部の初期通信速度条件に基づき前記前記第２サブ基板と正常に通信ができた場合は、前記第２クロック生成手段に前記第２サブ制御部の目標通信速度条件に応じた第２クロック信号を生成させ、かつ、前記第２サブ制御部は前記第２サブ制御部の目標通信速度条件を前記第２クロック信号の目標速度条件として前記第３メモリに格納し、
前記第１サブ制御部の目標通信速度条件と第２サブ制御部の目標通信速度条件は異なる
ことを特徴とする画像形成装置。
【請求項２】
前記第１サブ制御部の初期通信速度条件と第２サブ制御部の初期通信速度条件が異なることを特徴とする請求項１記載の画像形成装置。
【請求項３】
前記第１サブ制御部の初期通信速度条件と第２サブ制御部の初期通信速度条件が同一であることを特徴とする請求項１記載の画像形成装置。
【手続補正２】
【補正対象書類名】明細書
【補正対象項目名】０００１
【補正方法】変更
【補正の内容】
【０００１】
メイン制御部と複数のサブ制御部が異なる通信速度により通信を行う画像形成装置に関する。
【手続補正３】
【補正対象書類名】明細書
【補正対象項目名】０００８
【補正方法】変更
【補正の内容】
【０００８】
そこで、通信速度をサブ基板のデバイスごとに予め設定しようとすると、デバイスが同一のＣＰＵや制御ソフトウェア、ＡＳＩＣなどで構成されていても、配置する位置など使用条件によって、通信設定が異なる複数のファームウェアを用意する必要が生じる。図２の場合は、ＲＯＭ１３５やＲＯＭ１５５に、異なる設定のファームウェアを予め書き込んでおく必要がある。
しかし、そのように構成すると、同一の制御内容にもかかわらず、複数のファームウェアを管理する手間が生じるため、非効率であるという問題が発生する。
本発明は、サブ制御部のメモリに目標速度条件が格納されてない場合は、メイン制御部と通信を行うことによりサブ制御部のメモリに目標送度条件を格納することができ、かつ、サブ制御部のメモリに目標速度条件が格納されている場合は、目標速度条件に基づき通信を開始できるようにすることにより起動時間を短縮することを目的とする。
【手続補正４】
【補正対象書類名】明細書
【補正対象項目名】０００９
【補正方法】変更
【補正の内容】
【０００９】
本発明は、メイン制御部と、第１および第２サブ制御部の初期通信速度条件および目標通信速度条件を格納する第１メモリと、第３通信手段と通信する第１通信手段と、第４通信手段と通信する第２通信手段と、を有するメイン基板と、前記第１サブ制御部と、第１クロック信号の目標速度条件を格納する第２メモリと、第１発信機を有し、前記第１クロック信号の目標速度条件に基づき前記第１クロック信号を生成する第１クロック生成手段と、前記第１クロック信号に基づき前記第１通信手段と通信する前記第３通信手段とを有する第１サブ基板と、前記第２サブ制御部と、第２クロック信号の目標速度条件を格納する第３メモリと、第２発信機を有し、前記第２クロック信号の目標速度条件に基づき第２クロック信号を生成する第２クロック生成手段と、前記第２クロック信号に基づき前記第２通信手段と通信する前記第４通信手段とを有する第２サブ基板とを有する画像形成装置であって、前記メイン制御部は、起動されたことに応じて、前記第１サブ制御部の目標通信速度条件に基づき前記第１サブ基板と通信を行い、前記第１サブ制御部の目標通信速度条件に基づき前記第１サブ基板と正常に通信ができなかった場合は、前記第１サブ制御部の初期通信速度条件に基づき前記前記第１サブ基板と通信を行い、前記第１サブ制御部の初期通信速度条件に基づき前記前記第１サブ基板と正常に通信ができた場合は、前記第１クロック生成手段に前記第１サブ制御部の目標通信速度条件に応じた第１クロック信号を生成させ、かつ、前記第１サブ制御部は前記第１サブ制御部の目標通信速度条件を前記第１クロック信号の目標速度条件として前記第２メモリに格納し、さらに、前記メイン制御部は、起動されたことに応じて、前記第２サブ制御部の目標通信速度条件に基づき前記第２サブ基板と通信を行い、前記第２サブ制御部の目標通信速度条件に基づき前記第２サブ基板と正常に通信ができなかった場合は、前記第２サブ制御部の初期通信速度条件に基づき前記前記第２サブ基板と通信を行い、前記第２サブ制御部の初期通信速度条件に基づき前記前記第２サブ基板と正常に通信ができた場合は、前記第２クロック生成手段に前記第２サブ制御部の目標通信速度条件に応じた第２クロック信号を生成させ、かつ、前記第２サブ制御部は前記第２サブ制御部の目標通信速度条件を前記第２クロック信号の目標速度条件として前記第３メモリに格納し、前記第１サブ制御部の目標通信速度条件と第２サブ制御部の目標通信速度条件は異なることを特徴とする。
【手続補正５】
【補正対象書類名】明細書
【補正対象項目名】００１０
【補正方法】変更
【補正の内容】
【００１０】
本発明によれば、サブ制御部のメモリに目標速度条件が格納されてない場合は、メイン制御部と通信を行うことによりサブ制御部のメモリに目標送度条件を格納することができ、かつ、サブ制御部のメモリに目標速度条件が格納されている場合は、目標速度条件に基づき通信を開始できるようにすることにより起動時間を短縮することができる。
【手続補正６】
【補正対象書類名】明細書
【補正対象項目名】００４３
【補正方法】変更
【補正の内容】
【００４３】
以上説明したように、サブＣＰＵ２２１は、ＥＥＰＲＯＭ２２４に通信設定情報が書き込まれていない状態で起動すると、初期ボーレートである２５０Ｋｂｐｓで通信を開始する。一方、メインＣＰＵ２０１は、目標ボーレートである４．０Ｍｂｐｓで通信を開始するが、ボーレートの不一致により正しく通信できないことを検出すると、メインＣＰＵ２０１の初期ボーレート２５０Ｋｂｐｓへと切り替えて通信を確立する。そして、メインＣＰＵ２０１は、第１のＵＡＲＴ−Ｉ／Ｆ２０４の通信速度を目標ボーレートに設定した後、サブＣＰＵ２２１側のＥＥＰＲＯＭ２２４にその設定を書き込む。